(57)【要約】【課題】画面に比較的小さく表示された情報の選択可能項目の選択に際し、情報の構成を変更することなく、選択ミスや選択のやり直しの抑制が可能な情報端末装置を提供する。【解決手段】情報端末装置１は、表示部２と、表示部２の画面に接触する被検出体を検出するタッチパネル３ａと、タッチパネル３ａのタッチ位置の座標情報をサイトページの位置座標に変換する座標変換部１１と、サイトページ内におけるタッチ座標の最も近くに配置された主リンク情報を取得する主リンク取得部１２と、主リンクに対して第１所定距離以内の間隔で隣接して配置された関連リンクが存在するか否かを判定して存在が確認された関連リンクを取得する関連リンク取得部１３と、主リンク及び関連リンクを表示部２の画面に拡大して表示するとともに主リンク及び関連リンクのいずれがタッチパネル３ａを介してユーザーに選択されたかを判別するリンク選択判定部１４と、を備える。【選択図】図１
2015046124.tif 000002
【特許請求の範囲】
【請求項１】
表示部と、
前記表示部の画面に接触する被検出体を検出するタッチパネルと、
前記被検出体が接触した前記タッチパネルの位置座標を前記画面に表示された情報の記載領域の位置座標に変換する座標変換部と、
前記タッチパネルに接触した前記被検出体に対応する前記情報の前記記載領域の前記位置座標の最も近くに配置された前記情報の選択可能項目である主選択可能項目を取得する主選択可能項目取得部と、
前記主選択可能項目に対して第１所定距離以内の間隔で隣接して配置された前記情報の他の選択可能項目である関連選択可能項目が存在するか否かを判定して存在が確認された前記関連選択可能項目を取得する関連選択可能項目取得部と、
前記主選択可能項目及び前記関連選択可能項目を前記表示部の画面に拡大して表示するとともに前記主選択可能項目及び前記関連選択可能項目のいずれが前記タッチパネルを介してユーザーに選択されたかを判別する選択可能項目選択判定部と、
を備えることを特徴とする情報端末装置。
【請求項２】
前記関連選択可能項目取得部が、前記主選択可能項目を起点として前記第１所定距離以内の間隔で連続して並べて配置された前記関連選択可能項目が存在するか否かを判定して存在が確認された前記関連選択可能項目を取得することを特徴とする請求項１に記載の情報端末装置。
【請求項３】
前記主選択可能項目取得部が前記被検出体に対応する前記位置座標から第２所定距離以内の領域で前記主選択可能項目の存在を確認できない場合には、前記関連選択可能項目取得部による前記関連選択可能項目の取得と、前記選択可能項目選択判定部による前記主選択可能項目及び前記関連選択可能項目の拡大表示並びにユーザーの選択の判別と、を実行しないことを特徴とする請求項１または請求項２に記載の情報端末装置。
【請求項４】
前記関連選択可能項目取得部が前記関連選択可能項目の存在を確認できない場合には、前記主選択可能項目を選択した場合に対応する他の情報を前記画面に表示することを特徴とする請求項１〜請求項３のいずれか１項に記載の情報端末装置。
【発明の詳細な説明】
【技術分野】
【０００１】
本発明は情報端末装置に関する。
【背景技術】
【０００２】
昨今、スマートフォンやタブレット端末、携帯ゲーム機などといったタッチパネルを搭載した情報端末装置が普及している。これらの情報端末装置は携帯性を考慮して画面が比較的小さいので、画面に多くの情報を表示すると画面に表示された文字や選択可能項目が非常に小さくなることがある。そのため、タッチパネルを用いて画面に表示された選択可能項目を選択する場合、項目が手指等に隠れて見難くなったり、所望の項目とは別の項目を選択してしまったり、と細やかな位置指定が困難になるという問題があった。このような問題を解決すべく提案された従来技術が特許文献１に開示されている。
【０００３】
特許文献１に記載された従来技術は画面に表示された文書中の選択可能項目であるハイパーリンクどうしの間隔が所定距離よりも狭い場合に所定距離よりも離れるようにハイパーリンクの周囲に空白を挿入している。このようにして、ハイパーリンクどうしの間隔を広げて、所望のハイパーリンクを容易に選択できるようにしている。
【先行技術文献】
【特許文献】
【０００４】
【特許文献１】特開２００４−１１８４８４号公報
【発明の概要】
【発明が解決しようとする課題】
【０００５】
しかしながら、上記従来技術は画面に表示された情報（文書）に対して画面の見え方や構成に影響が出ないようにしながら選択可能項目（ハイパーリンク）の周囲に空白を挿入しているので、期待するほど項目どうしの間隔が広がらない可能性がある。これにより、所望の項目とは別の項目を選択してしまう選択ミスの問題が解消できない虞がある。その結果、選択前の画面に戻って選択をやり直す必要が生じ、さらに選択とそのやり直しを繰り返すといった手間が掛かることが懸念される。
【０００６】
また、上記特許文献１では選択可能項目の周囲に空白を挿入しても項目どうしの間隔が十分に広がらない場合、文章を改行するという技術も提案している。しかしながらこの場合、画面に表示された情報の構成に大きな変更が加えられる可能性があり、その構成の変更により情報本来の内容を十分に理解できなくなる虞がある。
【０００７】
本発明は、上記の点に鑑みなされたものであり、画面に比較的小さく表示された情報の選択可能項目の選択に際し、情報の構成を変更することなく、選択ミスや選択のやり直しを抑制することが可能な情報端末装置を提供することを目的とする。
【課題を解決するための手段】
【０００８】
上記の課題を解決するため、本発明の情報端末装置は、表示部と、前記表示部の画面に接触する被検出体を検出するタッチパネルと、前記被検出体が接触した前記タッチパネルの位置座標を前記画面に表示された情報の記載領域の位置座標に変換する座標変換部と、前記タッチパネルに接触した前記被検出体に対応する前記情報の前記記載領域の前記位置座標の最も近くに配置された前記情報の選択可能項目である主選択可能項目を取得する主選択可能項目取得部と、前記主選択可能項目に対して第１所定距離以内の間隔で隣接して配置された前記情報の他の選択可能項目である関連選択可能項目が存在するか否かを判定して存在が確認された前記関連選択可能項目を取得する関連選択可能項目取得部と、前記主選択可能項目及び前記関連選択可能項目を前記表示部の画面に拡大して表示するとともに前記主選択可能項目及び前記関連選択可能項目のいずれが前記タッチパネルを介してユーザーに選択されたかを判別する選択可能項目選択判定部、を備えることを特徴としている。
【発明の効果】
【０００９】
本発明の構成によれば、画面に比較的小さく表示された情報の選択可能項目の選択に際し、情報の構成を変更することなく、選択ミスや選択のやり直しを抑制することが可能な情報端末装置を提供することができる。
【図面の簡単な説明】
【００１０】
【図１】本発明の第１実施形態に係る情報端末装置のブロック図である。
【図２】本発明の第１実施形態に係る情報端末装置の正面図である。
【図３】本発明の第１実施形態に係る情報端末装置におけるブラウザの表示例を示す正面図である。
【図４】本発明の第１実施形態に係る情報端末装置におけるブラウザの処理の流れを示す説明図である。
【図５】本発明の第１実施形態に係る情報端末装置におけるブラウザの表示要素検索処理を示すフローチャートである。
【図６】本発明の第１実施形態に係る情報端末装置の表示要素検索処理の座標変換処理を示すフローチャートである。
【図７】本発明の第１実施形態に係る情報端末装置の表示要素検索処理の主リンク取得処理を示すフローチャートである。
【図８】本発明の第１実施形態に係る情報端末装置の表示要素検索処理の関連リンク取得処理を示すフローチャートである。
【図９】本発明の第１実施形態に係る情報端末装置の表示要素検索処理のリンク選択判定処理を示すフローチャートである。
【図１０】本発明の第１実施形態に係る情報端末装置におけるブラウザの表示要素検索処理を説明するための表示例を示す正面図である。
【図１１】本発明の第１実施形態に係る情報端末装置におけるブラウザの表示要素検索処理を説明するための表示例を示す正面図である。
【図１２】本発明の第１実施形態に係る情報端末装置におけるブラウザの表示要素検索処理を説明するための表示例を示す正面図である。
【図１３】本発明の第１実施形態に係る情報端末装置におけるブラウザの表示要素検索処理を説明するための表示例を示す正面図である。
【図１４】本発明の第２実施形態に係る情報端末装置におけるブラウザの表示要素検索処理を示すフローチャートである。
【図１５】本発明の第２実施形態に係る情報端末装置の表示要素検索処理の関連リンク取得処理を示すフローチャートである。
【図１６】本発明の第２実施形態に係る情報端末装置の表示要素検索処理の拡張関連リンク取得処理を示すフローチャートである。
【図１７】本発明の第２実施形態に係る情報端末装置におけるブラウザの表示要素検索処理を説明するための表示例を示す正面図である。
【図１８】本発明の第２実施形態に係る情報端末装置におけるブラウザの表示要素検索処理を説明するための表示例を示す正面図である。
【図１９】本発明の第３実施形態に係る情報端末装置の表示要素検索処理の主リンク取得処理を示すフローチャートである。
【図２０】本発明の第３実施形態に係る情報端末装置におけるブラウザの表示要素検索処理を説明するための表示例を示す正面図である。
【図２１】本発明の第３実施形態に係る情報端末装置におけるブラウザの表示要素検索処理を説明するための表示例を示す正面図である。
【図２２】本発明の第４実施形態に係る情報端末装置の表示要素検索処理のリンク選択判定処理を示すフローチャートである。
【図２３】本発明の第４実施形態に係る情報端末装置におけるブラウザの表示要素検索処理を説明するための表示例を示す正面図である。
【図２４】本発明の第４実施形態に係る情報端末装置におけるブラウザの表示要素検索処理を説明するための表示例を示す正面図である。
【発明を実施するための形態】
【００１１】
以下、本発明の実施形態を図１〜図２４に基づき説明する。
【００１２】
＜第１実施形態＞
最初に、本発明の第１実施形態に係る情報端末装置について、図１及び図２を用いてその構成を説明する。図１は情報端末装置のブロック図、図２は情報端末装置の正面図である。
【００１３】
情報端末装置１は、図１及び図２に示すように表示部２、操作部３、通信部４、制御部１０及び記憶部５を備える。
【００１４】
表示部２は液晶ディスプレイや有機ＥＬ（Electro-Luminescence）ディスプレイなどで構成される。表示部２は情報端末装置１で実行されるプログラムの処理に基づき、アイコンやメニュー、入力ウィンドウなどといった情報を表示する。また、表示部２はユーザーによる操作部３の操作に基づき、ユーザーが入力した文字、数値などや、ユーザーが選択したメニュー、その他選択可能項目の選択結果などといった情報を表示する。
【００１５】
操作部３は文字や数値などの入力、メニューやその他選択可能項目の選択、処理の実行やキャンセルなどの入力をユーザーが行うための構成要素である。ユーザーによる操作部３の操作に基づいて、制御部１０は記憶部５等に記憶されたプログラム、データ、ファイルに対して各種処理を実行したり、表示部２に対して表示処理を実行したりする。なお、操作部３は機械式に動作するキーを含むほか、表示部２にタッチパネル３ａを構成しても良い。タッチパネル３ａは表示部２の画面に重ねて配置され、接触する被検出体、例えばユーザーの手指やタッチペンを検出する。
【００１６】
通信部４は有線或いは無線によりインターネット等のネットワークに接続して様々な情報を得ることができる。また、通信部４は他の情報端末装置との間で通信を行ったり、電子メール等の情報の送信、受信を行ったりすることができる。さらに、情報端末装置１が例えば携帯電話機である場合、通信部４は携帯電話網を用いて音声やパケットを送信、受信する。
【００１７】
制御部１０は不図示の演算部やその他の電子部品で構成され、情報端末装置１に組み込まれた構成要素の動作を制御する。例えば、制御部１０は記憶部５等に記憶、入力されたプログラム、データ、ファイルに基づき表示部２、通信部４などの構成要素を制御して各種処理を実行する。情報端末装置１が起動するプログラムとしては、例えばインターネット上のホームページ等の閲覧に用いるブラウザアプリケーション（以下、ブラウザと称する）がある。
【００１８】
また、制御部１０は座標変換部１１、主選択可能項目取得部である主リンク取得部１２、関連選択可能項目取得部である関連リンク取得部１３及び選択可能項目選択判定部であるリンク選択判定部１４を備える。なおここでは、制御部１０が座標変換部１１等４要素を備える構成としているが、制御部１０とは別にして座標変換部１１等４要素を備える構成であっても良い。
【００１９】
座標変換部１１は被検出体が接触したタッチパネル３ａの位置座標を表示部２の画面に表示された情報の記載領域の位置座標に変換する処理を行う。なお、ここで述べた「情報」とは、例えば情報端末装置１がブラウザを起動している場合、サイトページに記載された種々の記事等の情報を意味する。すなわち、座標変換部１１はタッチパネル３ａから通知されたタッチ位置の位置座標をサイトページの左上角座標を起点とした等倍表示での座標に変換する。座標変換部１１によるブラウザに対応した具体的な処理については後に詳述する。
【００２０】
主リンク取得部１２はタッチパネル３ａに接触した被検出体に対応する表示部２の画面に表示された情報の記載領域の位置座標の最も近くに配置された情報の選択可能項目である主選択可能項目を取得する処理を行う。なお、ここで述べた「選択可能項目」とは、例えば情報端末装置１がブラウザを起動している場合、サイトページに配置されたハイパーリンクを意味する。以下、ブラウザに関して、ハイパーリンクを単にリンクと称し、主選択可能項目を主リンクと称する。主リンク取得部１２によるブラウザに対応した具体的な処理については後に詳述する。
【００２１】
関連リンク取得部１３は主リンク取得部１２が取得した主選択可能項目に対して第１所定距離以内の間隔で隣接して配置された情報の他の選択可能項目である関連選択可能項目が存在するか否かを判定して存在が確認された関連選択可能項目を取得する処理を行う。なお、ここで述べた「第１所定距離」とは、例えば情報端末装置１がブラウザを起動している場合、等倍表示状態のサイトページ上の距離であって予め任意に設定され、記憶部５等に記憶される。また以下、ブラウザに関して、関連選択可能項目を関連リンクと称する。関連リンク取得部１３によるブラウザに対応した具体的な処理については後に詳述する。
【００２２】
リンク選択判定部１４は主選択可能項目及び関連選択可能項目を表示部２の画面上に拡大して表示するとともに、主選択可能項目及び関連選択可能項目のいずれがタッチパネル３ａを介してユーザーによって選択されたかを判別する処理を行う。リンク選択判定部１４によるブラウザに対応した具体的な処理については後に詳述する。
【００２３】
続いて、上記構成の情報端末装置１におけるブラウザの処理の概要について、図１及び図２に加えて図３及び図４を用いて説明する。図３は情報端末装置１におけるブラウザの表示例を示す正面図、図４は情報端末装置１におけるブラウザの処理の流れを示す説明図である。
【００２４】
情報端末装置１においてユーザーがブラウザの実行を指示すると、制御部１０は記憶部５等に予め記憶したブラウザを起動してそれに係る処理を実行する。
【００２５】
表示部２には、例えば図２及び図３に示すようなブラウザ画面が表示される。図２によれば、ブラウザ画面の右端及び下端には画面を上下方向及び横方向にスクロールするためのスクロールボタン６が配置される。また、ブラウザ画面の下部には表示を拡大、縮小するための表示拡縮ボタン７が配置される。
【００２６】
図２におけるブラウザ画面のサイトページの情報表示領域８は、図３に示す構成となっている。図３によれば、表示部２は本来のサイトページＰ０を拡大してブラウザ画面の情報表示領域８として表示することができる。なお、表示部２は本来のサイトページＰ０に対して、ページ全体が画面に表示されるように情報を拡大、縮小したり、ページ幅が画面幅に合うように情報を拡大、縮小したりすることも可能である。
【００２７】
上記のようなブラウザの処理に係る流れが図４及び図５に記載されている。図４によれば、ブラウザが起動すると、情報端末装置１はページ情報要求処理Ｓ１を実行する。ページ情報要求処理Ｓ１では与えられたサイトアドレス情報から通信部４を介してＷＥＢサーバのサイトページ情報を取得してページ情報解析処理Ｓ２に引き渡す。
【００２８】
このとき、記憶部５内に保存している表示状態管理部５ａの内部情報を更新する。表示状態管理部５ａは画面表示の更新要否、画面の縦横サイズ、拡大率、ページが構成する２次元領域の何処を表示しているか（ページ内表示範囲）などの情報を管理する。
【００２９】
ページ情報解析処理Ｓ２ではページ情報の解析を行って表示要素に係る情報を取得し、その結果を表示要素レイアウト処理Ｓ３に引き渡す。
【００３０】
表示要素レイアウト処理Ｓ３では表示要素の各々について平面的な大きさを確認しながら順に並べてページ内で表示要素の配置を決定する。表示要素レイアウト処理Ｓ３は表示要素の配置情報を記憶部５内に保存している表示要素レイアウト状態管理部５ｂの内部情報として登録する。
【００３１】
表示更新処理Ｓ４では表示状態管理部５ａの管理情報をチェックし、必要があれば、その管理情報と表示要素レイアウト状態管理部５ｂの内部情報から表示部２に提供している表示内容を更新する。
【００３２】
入力処理Ｓ５では操作部３から通知される表示部２の画面上の位置座標を受けて、入力位置検索処理Ｓ６を実行後に表示更新処理Ｓ４を実行する。以降、入力処理Ｓ５からの通知があるたびに同じ処理を繰り返す。
【００３３】
入力位置検索処理Ｓ６では表示部２の画面上に表示しているスクロールボタン６、表示拡縮ボタン７、サイトページＰ０に係る情報表示領域８のいずれをユーザーが選択したかを操作部３から通知された座標情報から判別し、各々に応じて予め登録されていた処理を実行する。通知位置が、スクロールボタン６の場合はスクロール処理Ｓ７を実行し、表示拡縮ボタン７の場合は画面拡縮処理Ｓ８を実行し、サイトページＰ０に係る情報表示領域８の場合は表示要素検索処理Ｓ９を実行する。
【００３４】
スクロール処理Ｓ７及び画面拡縮処理Ｓ８ではボタン操作に応じて表示状態管理部５ａの内部情報を更新する。これにより、後に実行される表示更新処理Ｓ４によって表示状態管理部５ａの内部情報に応じて表示部２に提示している表示内容が更新される。
【００３５】
ここで、図３はサイトページＰ０のレイアウト結果が表示部２の画面サイズよりも大きくなる場合を示す。図３において、外側の矩形がサイトページＰ０の全体の大きさを表し、一回り小さな内側の矩形が同じ表示倍率で表示部２が表示可能な情報表示領域８を表す。
【００３６】
表示部２がサイトページＰ０内のどこを表示しているかは、ページ全体の中で表示部２が表示可能な領域の左上角座標がサイトページＰ０の左上角座標を起点としたどの座標位置に該当するかを内部情報として保持することによって管理する。なお、例えば図３に示すように表示部２及びサイトページＰ０の左上角座標を起点として横方向にＸ軸が設定され、縦方向にＹ軸が設定される。これらの内部情報は表示状態管理部５ａのページ内表示範囲として保持する。また、表示部２が画面上に実際のページ情報を拡縮して表示している場合はその倍率も表示状態管理部５ａに保持する。
【００３７】
表示要素検索処理Ｓ９では通知された位置情報に該当する位置に表示要素が存在し、それがリンク情報であるか否かをチェックする。表示要素がリンク情報であれば、リンク先遷移処理Ｓ１０を実行する。表示要素検索処理Ｓ９のブラウザに対応した具体的な処理については後に詳述する。
【００３８】
リンク先遷移処理Ｓ１０では検索されたリンク情報から取得したＷＥＢサーバのサイトアドレス情報をページ情報要求処理Ｓ１に通知する。
【００３９】
以上のブラウザの処理により、ユーザーの操作に対応してサイトページＰ０のスクロール、表示の拡大、縮小、リンク選択に基づく表示サイトの切り替えが可能である。
【００４０】
続いて、上記構成の情報端末装置１におけるブラウザの処理のうち表示要素検索処理Ｓ９について、図５〜図９に示すフローに沿って図１０〜図１３を用いて詳細に説明する。図５は表示要素検索処理を示すフローチャート、図６は表示要素検索処理の座標変換処理を示すフローチャート、図７は表示要素検索処理の主リンク取得処理を示すフローチャート、図８は表示要素検索処理の関連リンク取得処理を示すフローチャート、図９は表示要素検索処理のリンク選択判定処理を示すフローチャートである。図１０〜図１３はブラウザの表示要素検索処理を説明するための表示例を示す正面図である
【００４１】
表示要素検索処理Ｓ９が実行されると（図５のスタート）、制御部１０は座標変換部１１に座標変換処理を実行させる（ステップ＃１０１）。座標変換部１１はタッチパネル３ａから通知されたタッチ位置の座標情報を、表示部２の画面における左上角座標を起点とした座標からサイトページの左上角座標を起点とした座標に変換する。
【００４２】
次に、制御部１０は主リンク取得部１２に主リンク取得処理を実行させる（ステップ＃１０２）。主リンク取得部１２はサイトページ内におけるタッチ座標と表示要素レイアウト状態管理部５ｂからタッチ座標の最も近くに配置された主リンク情報を取得する。
【００４３】
次に、制御部１０は関連リンク取得部１３に関連リンク取得処理を実行させる（ステップ＃１０３）。関連リンク取得部１３は主リンクに対して第１所定距離以内の間隔で隣接して配置された他のリンクである関連リンクが存在するか否かを判定し、存在が確認された場合に関連リンク情報をすべて取得する。
【００４４】
次に、制御部１０はリンク選択判定部１４にリンク選択判定処理を実行させる（ステップ＃１０４）。リンク選択判定部１４は主リンク及び関連リンクを表示部２の画面上で判読し易く且つ選択ミスの発生し難い大きさに拡大して表示し、主リンク及び関連リンクのいずれがタッチパネル３ａを介してユーザーによって選択されたかを判別する。
【００４５】
以上により、表示要素検索処理Ｓ９を終了する（図５のエンド）。
【００４６】
座標変換部１１による座標変換処理では、処理の実行を開始すると（図６のスタート）、表示状態管理部５ａから表示の拡大率に係る情報を取得する（ステップ＃２０１）。そして、タッチパネル３ａから通知された座標を拡大率で除算することにより（ステップ＃２０２）、等倍状態における表示部２の画面上の座標に変換する。
【００４７】
次に、表示状態管理部５ａのページ内表示範囲から表示部２の画面の左上角座標を取得する（ステップ＃２０３）。そして、表示部２の画面の左上角座標に、拡大率で除算したタッチパネル３ａからの通知座標、すなわち等倍状態における表示部２の画面上の座標を加算する（ステップ＃２０４）。そして、座標変換処理を終了する（図６のエンド）。
【００４８】
このようにして、タッチパネル３ａから通知されたタッチ位置の座標情報を、表示部２の画面における左上角座標を起点とした座標からサイトページの左上角座標を起点とした位置座標に変換する。
【００４９】
主リンク取得部１２による主リンク取得処理では、処理の実行を開始すると（図７のスタート）、表示要素レイアウト状態管理部５ｂから表示要素情報を１個取得する（ステップ＃３０１）。そして、新たな表示要素（情報）が取得できたか否かを判別する（ステップ＃３０２）。
【００５０】
新たな表示要素（情報）が取得できた場合（ステップ＃３０２のＹｅｓ）、表示要素がリンク情報であるか否かを判別する（ステップ＃３０３）。表示要素がリンク情報ではない場合（ステップ＃３０３のＮｏ）、ステップ＃３０１に戻って、表示要素レイアウト状態管理部５ｂから次の表示要素情報を１個取得する。
【００５１】
一方、表示要素がリンク情報である場合（ステップ＃３０３のＹｅｓ）、既に主リンク情報を保存済みであるか否かを判別する（ステップ＃３０４）。既に主リンク情報を保存済みである場合（ステップ＃３０４のＹｅｓ）、新たに取得したリンク情報が保存済みの主リンク情報よりサイトページ内においてタッチ位置に近いか否かを判別する（ステップ＃３０５）。新たに取得したリンク情報が保存済みの主リンク情報よりタッチ座標に近い場合（ステップ＃３０５のＹｅｓ）、またはステップ＃３０４において主リンク情報が保存済みではない場合（ステップ＃３０４のＮｏ）、新たに取得したリンク情報を主リンク情報として保存する（ステップ＃３０６）。
【００５２】
新たに取得したリンク情報を主リンク情報として保存した後、またはステップ＃３０５において新たに取得したリンク情報が保存済みの主リンク情報よりタッチ座標に対して遠い場合（ステップ＃３０５のＮｏ）、ステップ＃３０１に戻って、表示要素レイアウト状態管理部５ｂから次の表示要素情報を１個取得する。
【００５３】
そして、ステップ＃３０１〜ステップ＃３０６を繰り返し、ステップ＃３０２において新たな表示要素（情報）が取得できなくなった場合（ステップ＃３０２のＮｏ）、主リンク取得処理を終了する（図７のエンド）。
【００５４】
このようにして、表示要素レイアウト状態管理部５ｂに保存されたすべての表示要素情報に対して主リンク取得処理を行うことにより、サイトページ内におけるタッチ座標の最も近くに配置された主リンク情報を取得して、保持する。
【００５５】
関連リンク取得部１３による関連リンク取得処理では、処理の実行を開始すると（図８のスタート）、表示要素レイアウト状態管理部５ｂから表示要素情報を１個取得する（ステップ＃４０１）。そして、新たな表示要素（情報）が取得できたか否かを判別する（ステップ＃４０２）。
【００５６】
新たな表示要素（情報）が取得できた場合（ステップ＃４０２のＹｅｓ）、表示要素がリンク情報であるか否かを判別する（ステップ＃４０３）。表示要素がリンク情報ではない場合（ステップ＃４０３のＮｏ）、ステップ＃４０１に戻って、表示要素レイアウト状態管理部５ｂから次の表示要素情報を１個取得する。
【００５７】
ステップ＃４０３において、表示要素がリンク情報である場合（ステップ＃４０３のＹｅｓ）、新たに取得したリンク情報が主リンク情報として既に保存済であるか否か判別する（ステップ＃４０４）。新たに取得したリンク情報が主リンク情報として既に保存済である場合（ステップ＃４０４のＹｅｓ）、ステップ＃４０１に戻って、表示要素レイアウト状態管理部５ｂから次の表示要素情報を１個取得する。
【００５８】
ステップ＃４０４において、新たに取得したリンク情報が主リンク情報ではない場合（ステップ＃４０４のＮｏ）、新たに取得したリンク情報と主リンク情報とのサイトページ内における間隔が第１所定距離以内か否かを判別する（ステップ＃４０５）。新たに取得したリンク情報と主リンク情報との間隔が第１所定距離以内である場合（ステップ＃４０５のＹｅｓ）、新たに取得したリンク情報を関連リンク情報として追加保存する（ステップ＃４０６）。
【００５９】
新たに取得したリンク情報を関連リンク情報として保存した後、または新たに取得したリンク情報と主リンク情報との間隔がステップ＃４０５において第１所定距離より広い場合（ステップ＃４０５のＮｏ）、ステップ＃４０１に戻って、表示要素レイアウト状態管理部５ｂから次の表示要素情報を１個取得する。
【００６０】
そして、ステップ＃４０１〜ステップ＃４０６を繰り返し、ステップ＃４０２において新たな表示要素（情報）が取得できなくなった場合（ステップ＃４０２のＮｏ）、関連リンク取得処理を終了する（図８のエンド）。
【００６１】
このようにして、表示要素レイアウト状態管理部５ｂに保存されたすべての表示要素情報に対して関連リンク取得処理を行うことにより、サイトページ内において主リンクに対して第１所定距離以内の間隔で隣接して配置された関連リンクのリンク情報をすべて取得して、保持する。
【００６２】
リンク選択判定部１４によるリンク選択判定処理では、処理の実行を開始すると（図９のスタート）、主リンク取得処理により取得した主リンク及び関連リンク取得処理により取得した関連リンクを表示部２の画面に表示されたサイトページに重ねて表示する（ステップ＃５０１）。このとき、主リンク及び関連リンクを判読し易く且つ選択ミスの発生し難い大きさに拡大して表示する。そして、ユーザーによるタッチ入力を受け付ける（ステップ＃５０２）。
【００６３】
次に、タッチ位置の座標が主リンクまたは関連リンクの位置座標に合致するか否かを判別する（ステップ＃５０３）。タッチ位置の座標が主リンクまたは関連リンクの位置座標に合致する場合（ステップ＃５０３のＹｅｓ）、合致したリンク情報を選択リンク情報として保存する（ステップ＃５０４）。
【００６４】
合致したリンク情報を選択リンク情報として保存した後、またはステップ＃５０３においてタッチ位置の座標が主リンクまたは関連リンクの位置座標に合致しなかった場合（ステップ＃５０３のＮｏ）、拡大表示した主リンク及び関連リンクに係る情報を解除して表示部２の画面をもとのサイトページの表示に戻す（ステップ＃５０５）。
【００６５】
次に、選択リンク情報をリンク先遷移処理Ｓ１０（図４参照）に引き渡す（ステップ＃５０６）。そして、リンク選択判定処理を終了する（図９のエンド）。
【００６６】
このようにして、主リンク及び関連リンクを表示部２の画面上で判読し易く且つ選択ミスの発生し難い大きさに拡大して表示し、主リンク及び関連リンクのいずれがタッチパネル３ａを介してユーザーによって選択されたかを判別する。そして、ユーザーによって選択されたリンクに係る情報をリンク先遷移処理Ｓ１０に引き渡す。
【００６７】
なお、ステップ＃５０３においてタッチ位置の座標が主リンクまたは関連リンクの位置座標に合致しなかった場合、ユーザーが主リンク及び関連リンクのいずれも選択しなかったものとして以降の処理が実行される。
【００６８】
続いて、表示部２の画面の表示例を利用して第１実施形態に係る情報端末装置１におけるブラウザの表示要素検索処理Ｓ９を説明する。
【００６９】
図１０に示すように、ユーザーは表示部２の画面に縮小して表示されたサイトページＰ１に対して、画面を拡大することなく所望の情報に係るリンクの位置を予測してタッチ入力ポイントＴを決定し、選択する。ここで、ブラウザで新たなサイトページＰ１を表示するとき、図１０に示すように表示部２の画面の横幅にページの横幅が一致するように縮小して表示することができる。これにより、横スクロールせずにページ全体を俯瞰することが可能になる。
【００７０】
ユーザーがタッチ入力を行うと画面が図１１に示すように切り替わる。タッチ位置近傍のリンクＬ（主リンク及び関連リンク）が画面に表示されたサイトページＰ１に重ねて表示される。なお、図１１では、黒地の白抜き文字列がタッチ位置近傍のリンクＬ（主リンク及び関連リンク）を示す。このとき、主リンク及び関連リンクが判読し易く且つ選択ミスの発生し難い大きさに拡大されて表示されるので、タッチ入力に先立って画面を拡大表示する手間を省くことができる。なお、リンクＬの表示の仕方は判読し易く且つ選択ミスの発生し難い形式であれば、図１１に示した短冊状の表示以外に、例えばリストやボタンが並んだ形式で表示しても構わない。
【００７１】
ユーザーは拡大表示したリンクＬの中に所望のリンクＬが見つかれば、図１２に示すようにその所望のリンクＬをタッチ選択する。これにより、リンク先に画面が遷移し、図１３に示すようにリンク先のサイトページＰ２に係る情報が表示部２の画面に表示される。
【００７２】
上記のように、情報端末装置１は、表示部２と、タッチパネル３ａと、座標変換部１１と、主リンク取得部１２と、関連リンク取得部１３と、リンク選択判定部１４と、を備える。この構成によれば、サイトページ内のリンクの選択の際し、画面に比較的小さく表示されたサイトページの情報の詳細を確認するために予め拡大表示する手間を省くことができる。さらに、画面に表示されたサイトページの構成を変更することもない。そして、リンクの選択ミスや選択のやり直しを抑制することが可能になり、ひいてはサイトページに記載されたコンテンツの閲覧に集中することができる。
【００７３】
＜第２実施形態＞
次に、本発明の第２実施形態に係る情報端末装置について、図１４〜図１８を用いてその構成を説明する。図１４は情報端末装置におけるブラウザの表示要素検索処理を示すフローチャート、図１５は表示要素検索処理の関連リンク取得処理を示すフローチャート、図１６は表示要素検索処理の拡張関連リンク取得処理を示すフローチャート、図１７及び図１８はブラウザの表示要素検索処理を説明するための表示例を示す正面図である。なお、この実施形態の基本的な構成は先に説明した第１実施形態と同じであるので、第１実施形態と共通する構成要素には前と同じ符号を付し、図面の記載及びその説明を省略するものとする。図１４、図１５及び図１６に示すフローチャートは図５及び図８に示すフローチャートと構成が一部同様であるので、その説明を部分的に省略するものとする。
【００７４】
第２実施形態に係る情報端末装置１では、ブラウザの表示要素検索処理Ｓ９において、図１４に示すように関連リンク取得部１３による関連リンク取得処理（ステップ＃６０３）の後に、拡張関連リンク取得処理（ステップ＃６０４）を実行する。関連リンク取得処理及び拡張関連リンク取得処理では、関連リンク取得部１３が主リンクを起点として第１所定距離以内の間隔で連続して並べて配置された関連リンクが存在するか否かを判定し、存在が確認された場合に関連リンク情報をすべて取得する。
【００７５】
関連リンク取得部１３による関連リンク取得処理（図１５）では、表示要素レイアウト状態管理部５ｂから取得した新たなリンク情報が主リンク情報ではない場合（ステップ＃７０４のＮｏ）、新たに取得したリンク情報が主リンク情報とＸ軸座標またはＹ軸座標が同じか否かを判別する（ステップ＃７０５）。
【００７６】
新たに取得したリンク情報が主リンク情報とＸ軸座標またはＹ軸座標が同じである場合（ステップ＃７０５のＹｅｓ）、新たに取得したリンク情報と主リンク情報とのサイトページ内における間隔が第１所定距離以内か否かを判別する（ステップ＃７０６）。新たに取得したリンク情報と主リンク情報との間隔が第１所定距離以内である場合（ステップ＃７０６のＹｅｓ）、新たに取得したリンク情報を関連リンク情報として追加保存する（ステップ＃７０７）。
【００７７】
新たに取得したリンク情報を関連リンク情報として保存した後、または新たに取得したリンク情報と主リンク情報との間隔がステップ＃７０６において第１所定距離より広い場合（ステップ＃７０６のＮｏ）、または新たに取得したリンク情報がステップ＃７０５において主リンク情報とＸ軸座標またはＹ軸座標が同じではない場合（ステップ＃７０５のＮｏ）、ステップ＃７０１に戻って、表示要素レイアウト状態管理部５ｂから次の表示要素情報を１個取得する。
【００７８】
そして、ステップ＃７０１〜ステップ＃７０７を繰り返し、ステップ＃７０２において新たな表示要素（情報）が取得できなくなった場合（ステップ＃７０２のＮｏ）、関連リンク取得処理を終了する（図１５のエンド）。
【００７９】
関連リンク取得部１３による拡張関連リンク取得処理では、処理の実行を開始すると（図１６のスタート）、図１５を用いて説明した関連リンク取得処理で取得した関連リンク情報からリンク情報を１個取得する（ステップ＃８０１）。そして、新たな関連リンク情報が取得できたか否かを判別する（ステップ＃８０２）。
【００８０】
新たな関連リンク情報が取得できた場合（ステップ＃８０２のＹｅｓ）、表示要素レイアウト状態管理部５ｂから表示要素情報を１個取得する（ステップ＃８０３）。そして、新たな表示要素（情報）が取得できたか否かを判別する（ステップ＃８０４）。
【００８１】
新たな表示要素（情報）が取得できた場合（ステップ＃８０４のＹｅｓ）、表示要素がリンク情報であるか否かを判別する（ステップ＃８０５）。表示要素がリンク情報である場合（ステップ＃８０５のＹｅｓ）、そのリンク情報が主リンク情報または関連リンク情報として既に保存済みか否かを判別する（ステップ＃８０６）。ステップ＃８０５において表示要素がリンク情報ではない場合（ステップ＃８０５のＮｏ）、または新たに取得したリンク情報がステップ＃８０６において主リンク情報または関連リンク情報として既に保存済みである場合（ステップ＃８０６のＹｅｓ）、ステップ＃８０３に戻って、表示要素レイアウト状態管理部５ｂから次の表示要素情報を１個取得する。
【００８２】
ステップ＃８０６においてリンク情報が主リンク情報または関連リンク情報として保存済みではない場合（ステップ＃８０６のＮｏ）、新たに取得したリンク情報と関連リンク情報との間隔が第１所定距離以内か否かを判別する（ステップ＃８０７）。新たに取得したリンク情報と関連リンク情報との間隔が第１所定距離以内である場合（ステップ＃８０７のＹｅｓ）、新たに取得したリンク情報が主リンク情報とＸ軸座標またはＹ軸座標が同じか否かを判別する（ステップ＃８０８）。新たに取得したリンク情報が主リンク情報とＸ軸座標またはＹ軸座標が同じである場合（ステップ＃８０８のＹｅｓ）、新たに取得したリンク情報を拡張関連リンク情報として追加保存する（ステップ＃８０９）。
【００８３】
新たに取得したリンク情報を拡張関連リンク情報として保存した後、または新たに取得したリンク情報と関連リンク情報との間隔がステップ＃８０７において第１所定距離より広い場合（ステップ＃８０７のＮｏ）、または新たに取得したリンク情報がステップ＃８０８において主リンク情報とＸ軸座標またはＹ軸座標が同じではない場合（ステップ＃８０８のＮｏ）、ステップ＃８０３に戻って、表示要素レイアウト状態管理部５ｂから次の表示要素情報を１個取得する。
【００８４】
そして、ステップ＃８０３〜ステップ＃８０９を繰り返し、ステップ＃８０４において新たな表示要素（情報）が取得できなくなった場合（ステップ＃８０４のＮｏ）、ステップ＃８０９で保存した拡張関連リンク情報を関連リンク情報として追加保存する（ステップ＃８１０）。続いて、ステップ＃８０１に戻って、先の関連リンク取得処理で取得した関連リンク情報からリンク情報を１個取得する。
【００８５】
そして、ステップ＃８０１〜ステップ＃８１０を繰り返し、ステップ＃８０２において新たな関連リンク情報が取得できなくなった場合（ステップ＃８０２のＮｏ）、拡張関連リンク取得処理を終了する（図１６のエンド）。
【００８６】
このようにして、表示要素レイアウト状態管理部５ｂに保存されたすべての表示要素情報に対して拡張関連リンク取得処理を行うことにより、サイトページ内において主リンクを起点として第１所定距離以内の間隔で連続して並べて配置された関連リンクのリンク情報をすべて取得して、保持する。
【００８７】
続いて、表示部２の画面の表示例を利用して第２実施形態に係る情報端末装置１におけるブラウザの表示要素検索処理Ｓ９を説明する。
【００８８】
ユーザーが所望の情報に係るリンクの位置を予測してタッチ入力を行うと画面が図１７に示すように切り替わる。タッチ位置近傍のリンクＬ（主リンク及び関連リンク）が画面に表示されたサイトページＰ１に重ねて表示される。このとき、主リンクに隣接する関連リンクに加えて、主リンクを起点として第１所定距離以内の間隔で連続して並べて配置された関連リンクが判読し易く且つ選択ミスの発生し難い大きさに拡大されて表示される。
【００８９】
ユーザーは拡大表示したリンクＬの中に所望のリンクＬが見つかれば、図１８に示すようにその所望のリンクＬをタッチ選択する。これにより、リンク先に画面が遷移し、リンク先のサイトページＰ２に係る情報が表示部２の画面に表示される（図１３参照）。
【００９０】
上記のように、情報端末装置１は、関連リンク取得部１３が主リンクを起点として第１所定距離以内の間隔で連続して並べて配置された関連リンクが存在するか否かを判定して存在が確認された関連リンクを取得する。この構成によれば、サイトページ内のリンクの選択の際し、画面に比較的小さく表示されたサイトページの情報の詳細を確認するために予め拡大表示することなく、タッチ位置近傍の所定距離以内の間隔で並ぶすべてのリンクを自動的に拡大表示することができる。これにより、タッチ位置近傍のリンクをまとめて容易に確認することができ、画面外のリンクを拡大表示することも可能である。したがって、サイトページの一部しか確認できない程度の極めて小さく表示された情報であっても、簡単に所望のリンクを選択することができる。
【００９１】
＜第３実施形態＞
次に、本発明の第３実施形態に係る情報端末装置について、図１９〜図２１を用いてその構成を説明する。図１９は情報端末装置におけるブラウザの表示要素検索処理の主リンク取得処理を示すフローチャート、図２０及び図２１はブラウザの表示要素検索処理を説明するための表示例を示す正面図である。なお、この実施形態の基本的な構成は先に説明した第１実施形態と同じであるので、第１実施形態と共通する構成要素には前と同じ符号を付し、図面の記載及びその説明を省略するものとする。図１９に示すフローチャートは図７に示すフローチャートと構成が一部同様であるので、その説明を部分的に省略するものとする。
【００９２】
第３実施形態に係る情報端末装置１では、ブラウザの表示要素検索処理Ｓ９において、図１９に示すように主リンク取得部１２による主リンク取得処理を実行する。
【００９３】
主リンク取得部１２による主リンク取得処理では、ステップ＃９０２において新たな表示要素（情報）が取得できなくなった場合（ステップ＃９０２のＮｏ）、サイトページ内における主リンク情報の位置座標とタッチ位置の座標との距離が第２所定距離以内であるか否かを判別する（ステップ＃９０７）。なお、ここで述べた「第２所定距離」とは、等倍表示状態のサイトページ上の距離であって予め任意に設定され、記憶部５等に記憶される。
【００９４】
主リンク情報の位置座標とタッチ位置の座標との距離が第２所定距離以内である場合（ステップ＃９０７のＹｅｓ）、主リンク取得処理を正常終了する（図１９のエンド）。
【００９５】
一方、主リンク情報の位置座標とタッチ位置の座標との距離が第２所定距離より離れている場合（ステップ＃９０７のＮｏ）、主リンク取得処理を終了するとともに、表示要素検索処理Ｓ９自体を中断する。すなわち、関連リンク取得処理及びリンク選択判定処理を実行することなく、リンク先遷移処理Ｓ１０に移行する（図４参照）。
【００９６】
このようにして、主リンク取得部１２がサイトページ内におけるタッチ位置の座標から第２所定距離以内の領域で主リンクの存在を確認できない場合には、関連リンク取得部１３による関連リンクの取得と、リンク選択判定部１４による主リンク及び関連リンクの拡大表示並びにユーザーの選択の判別と、を実行しない。
【００９７】
続いて、表示部２の画面の表示例を利用して第３実施形態に係る情報端末装置１におけるブラウザの表示要素検索処理Ｓ９を説明する。
【００９８】
図２０に示すように、ユーザーはリンクとは離れた位置でタッチ入力ポイントＴを決定し、選択することがある。この場合、主リンク取得部１２がタッチ位置の座標から第２所定距離以内の領域で主リンクの存在を確認できたとき、画面は図２１に示すように切り替わる。タッチ位置近傍のリンクＬ（主リンク及び関連リンク）が画面に表示されたサイトページＰ１に重ねて表示される。
【００９９】
一方、主リンク取得部１２がタッチ位置の座標から第２所定距離以内の領域で主リンクの存在を確認できないとき、画面は図２０の状態から変化しない。
【０１００】
上記のように、情報端末装置１は、主リンク取得部１２がサイトページ内におけるタッチ位置の座標から第２所定距離以内の領域で主リンクの存在を確認できない場合には、関連リンク取得部１３による関連リンクの取得と、リンク選択判定部１４による主リンク及び関連リンクの拡大表示並びにユーザーの選択の判別と、を実行しない。この構成によれば、ユーザーが選択ミスによりリンクから離れた位置にタッチした場合、画面の表示を変化させない。したがって、意図しない情報が表示されることを抑制することができ、さらにその意図せず表示された情報を消去して元の画面に戻す手間も生じない。これにより、所望の操作を継続して行うことが可能になる。
【０１０１】
＜第４実施形態＞
次に、本発明の第４実施形態に係る情報端末装置について、図２２〜図２４を用いてその構成を説明する。図２２は情報端末装置におけるブラウザの表示要素検索処理のリンク選択判定処理を示すフローチャート、図２３及び図２４はブラウザの表示要素検索処理を説明するための表示例を示す正面図である。なお、この実施形態の基本的な構成は先に説明した第１実施形態と同じであるので、第１実施形態と共通する構成要素には前と同じ符号を付し、図面の記載及びその説明を省略するものとする。図２２に示すフローチャートは図９に示すフローチャートと構成が一部同様であるので、その説明を部分的に省略するものとする。
【０１０２】
第４実施形態に係る情報端末装置１では、ブラウザの表示要素検索処理Ｓ９において、図２２に示すようにリンク選択判定部１４によるリンク選択判定処理を実行する。
【０１０３】
リンク選択判定部１４によるリンク選択判定処理では、処理の実行を開始すると（図２２のスタート）、先の関連リンク取得処理で取得した関連リンク情報が１個以上あるか否かを判別する（ステップ＃１００１）。関連リンク情報が１個以上ある場合（ステップ＃１００１のＹｅｓ）、図９と同様にステップ＃１００２〜ステップ＃１００６の処理を実行する。
【０１０４】
一方、関連リンク情報がない場合（ステップ＃１００１のＮｏ）、主リンク情報を選択リンク情報として保存する（ステップ＃１００７）。
【０１０５】
ステップ＃１００７において主リンク情報を選択リンク情報として保存した後、またはステップ＃１００６において拡大表示した主リンク及び関連リンクに係る情報を解除して表示部２の画面をもとのサイトページＰの表示に戻した後、選択リンク情報をリンク先遷移処理Ｓ１０（図４参照）に引き渡す（ステップ＃１００８）。そして、リンク選択判定処理を終了する（図２２のエンド）。
【０１０６】
このようにして、関連リンク情報がまったく存在しなかった場合、主リンク情報がユーザーによって選択されたものとして主リンクに係る情報をリンク先遷移処理Ｓ１０に引き渡す。
【０１０７】
続いて、表示部２の画面の表示例を利用して第４実施形態に係る情報端末装置１におけるブラウザの表示要素検索処理Ｓ９を説明する。
【０１０８】
図２３に示すように、ユーザーは近隣にリンクが１個しか存在しない位置、すなわち主リンクしか存在しない位置でタッチ入力ポイントＴを決定し、選択することがある。この場合、主リンクに対応するリンク先に画面が遷移し、図２４に示すようにリンク先のサイトページＰ３に係る情報が表示部２の画面に表示される。
【０１０９】
上記のように、情報端末装置１は、関連リンク取得部１３が関連リンクの存在を確認できない場合に、主リンクを選択した場合に対応するサイトページの情報を表示部２の画面に表示する。この構成によれば、ユーザーが所望する主リンクの周囲に他のリンクが存在しない場合、直ちに主リンクに対応するリンク先に画面が遷移する。したがって、リンク選択の手順を省略することができる。所望のリンクが明確である場合に、リンク選択に係る複数のリンクの表示とその選択処理とによってリンク選択に係るスムーズな操作の流れが阻害されることを抑制することが可能になる。
【０１１０】
そして、本発明の上記実施形態の構成によれば、画面に比較的小さく表示されたサイトページのリンクの選択に際し、サイトページの構成を変更することなく、選択ミスや選択のやり直しを抑制することが可能な情報端末装置１を提供することができる。
【０１１１】
以上、本発明の実施形態につき説明したが、本発明の範囲はこれに限定されるものではなく、発明の主旨を逸脱しない範囲で種々の変更を加えて実施することができる。
【０１１２】
例えば、上記実施形態では、情報端末装置１で起動したアプリケーションが「ブラウザ」であり、画面に表示される情報が「サイトページ」であり、選択可能項目が「ハイパーリンク」であることとして説明したが、本発明の適用範囲はブラウザを用いたホームページの閲覧等に限定されるわけではない。アプリケーションが例えば「メールソフトやワープロソフト、ゲームなど」であり、画面に表示される情報が「操作ウィンドウ」であり、選択可能項目が「メニュー上の選択肢（選択項目）」であっても良い。
【産業上の利用可能性】
【０１１３】
本発明は情報端末装置において利用可能である。
【符号の説明】
【０１１４】
１    情報端末装置
２    表示部
３    操作部
３ａ    タッチパネル
４    通信部
５    記憶部
１０    制御部
１１    座標変換部
１２    主リンク取得部（主選択可能項目取得部）
１２    関連リンク取得部（関連選択可能項目取得部）
１４    リンク選択判定部（選択可能項目選択判定部）
【図１】
2015046124.tif 000003
【図２】
2015046124.tif 000004
【図３】
2015046124.tif 000005
【図４】
2015046124.tif 000006
【図５】
2015046124.tif 000007
【図６】
2015046124.tif 000008
【図７】
2015046124.tif 000009
【図８】
2015046124.tif 000010
【図９】
2015046124.tif 000011
【図１０】
2015046124.tif 000012
【図１１】
2015046124.tif 000013
【図１２】
2015046124.tif 000014
【図１３】
2015046124.tif 000015
【図１４】
2015046124.tif 000016
【図１５】
2015046124.tif 000017
【図１６】
2015046124.tif 000018
【図１７】
2015046124.tif 000019
【図１８】
2015046124.tif 000020
【図１９】
2015046124.tif 000021
【図２０】
2015046124.tif 000022
【図２１】
2015046124.tif 000023
【図２２】
2015046124.tif 000024
【図２３】
2015046124.tif 000025
【図２４】
2015046124.tif 000026